(57)【要約】      （修正有）【課題】貼り付けが容易で、交換しやすく、貼り付けの固定性が高く、構造が簡単で、ユーザの使い心地が良い磁気吸着保護フィルムを提供する。【解決手段】磁気吸着保護フィルムは、フィルム本体１と、フィルム本体１の縁部に設けられ、スクリーンと吸着固定するための磁気吸着層２と、磁気吸着層２及び／又はフィルム本体１におけるスクリーンに近い側に設けられる滑り止め層３と、を含む。【選択図】図２
0003233618.tif 000002
【実用新案登録請求の範囲】
【請求項１】
フィルム本体（１）と、
前記フィルム本体（１）の縁部に設けられ、スクリーンと吸着固定するための磁気吸着層（２）と、
前記磁気吸着層（２）及び／又は前記フィルム本体（１）における前記スクリーンに近い側に設けられる滑り止め層（３）と、
を含むことを特徴とする、磁気吸着保護フィルム。
【請求項２】
前記滑り止め層（３）における前記フィルム本体（１）から遠い側は凹凸面であることを特徴とする、請求項１に記載の磁気吸着保護フィルム。
【請求項３】
前記滑り止め層（３）は、前記スクリーンの縁部に沿って設けられ、
前記磁気吸着保護フィルムは、前記滑り止め層（３）と前記フィルム本体（１）との間に設けられる水波紋防止層（４）をさらに含むことを特徴とする、請求項２に記載の磁気吸着保護フィルム。
【請求項４】
前記滑り止め層（３）はストリップ状又は枠状であることを特徴とする、請求項３に記載の磁気吸着保護フィルム。
【請求項５】
前記磁気吸着層（２）はストリップ状又は枠状であることを特徴とする、請求項３に記載の磁気吸着保護フィルム。
【請求項６】
前記フィルム本体（１）は、ペーパーライクフィルム、覗き見防止フィルム、抗菌フィルム、アンチグレアフィルム、自動修復フィルム、スクラッチ防止フィルム、ブルーライトカットフィルム、ＡＲ反射防止フィルムのうちのいずれか１種又は複数種を順に積層した組み合わせを含むことを特徴とする、請求項１から５のいずれか１項に記載の磁気吸着保護フィルム。
【考案の詳細な説明】
【技術分野】
【０００１】
本考案は、保護フィルムの技術分野に関し、具体的には磁気吸着保護フィルムに関する。
【背景技術】
【０００２】
スクリーン保護フィルムは透明媒体であり、現在、主にＰＥＴを原材料として使用している。原材料は主に台湾と日本に分けられる。通常のスクリーン保護フィルムは埃防止作用のみを有し、比較的良いものはクリスタルスクラッチ防止塗層が付き、スクラッチ防止作用を有する。最も良いスクリーン保護フィルムは、金属元素が混入されており、電磁波を遮断し、電磁放射を減らす等の作用を有するとともに、スクリーンを長時間見ることによるめまい感を防止でき、コンピュータスクリーンを衝突や割れから効果的に保護することもできる。
【０００３】
スクリーン保護フィルムの貼り付けは困難であり、フィルム貼り付けのプロであっても、フィルム貼り付けの良品率及び品質は高くない。また、保護フィルムは、交換されると再び使用することができなくなる。磁気吸着保護フィルムは人々のニーズを満たすことができる。しかし、従来の磁気吸着保護フィルムは、使用時に変位しやすく、特にスクリーンに手書きする際、スクリーンの使用に大きい影響を与えるため、改善の余地がある。
【考案の概要】
【０００４】
本考案は、従来技術の欠陥及び不足に対して、貼り付けが容易で、交換しやすく、貼り付けの固定性が高く、構造が簡単で、ユーザの使い心地が良い磁気吸着保護フィルムを提供することを目的とする。
【０００５】
上記目的を達成するために、本考案によれば、フィルム本体と、前記フィルム本体の縁部に設けられ、スクリーンと吸着固定するための磁気吸着層と、前記磁気吸着層及び／又は前記フィルム本体における前記スクリーンに近い側に設けられる滑り止め層とを含む磁気吸着保護フィルムが提供される。
【０００６】
前記滑り止め層は、前記スクリーンの縁部に沿って設けられ、前記磁気吸着保護フィルムは、前記滑り止め層と前記フィルム本体との間に設けられる水波紋防止層をさらに含む。
【０００７】
前記滑り止め層における前記フィルム本体から遠い側は凹凸面である。
【０００８】
前記滑り止め層はストリップ状又は枠状である。
【０００９】
前記磁気吸着層はストリップ状又は枠状である。
【００１０】
前記フィルム本体は、ペーパーライクフィルム、覗き見防止フィルム、抗菌フィルム、アンチグレアフィルム、自動修復フィルム、スクラッチ防止フィルム、ブルーライトカットフィルム、ＡＲ反射防止フィルムのうちのいずれか１種又は複数種を順に積層した組み合わせを含む。
【００１１】
本考案は以下の有益な効果を有する。
（１）磁気吸着層の設置により、フィルムの貼り付けが容易になり、フィルム貼り付けの良品率が向上する。さらに、機能が異なる保護フィルムの交換は容易である。
（２）滑り止め層の設置により、使用時に、磁気吸着層とスクリーンの磁気吸引による固定に加え、保護フィルムとスクリーンの間の摩擦力が増大されることによって、さらなる固定が実現され、磁気吸着保護フィルムとスクリーンの吸着固定性が効果的に向上し、スクリーン使用時の磁気吸着保護フィルムの変位が防止される。
（３）滑り止め層とフィルム本体の間に設けられる水波紋防止層により、磁気吸着保護フィルムとスクリーンを貼り付けるときに発生する水波紋が防止される。
【図面の簡単な説明】
【００１２】
本考案の実施例及び従来技術をより明確に説明するために、以下、実施例又は従来技術の説明に必要な図面を簡単に紹介する。以下に説明する図面は本考案のいくつかの実施例に過ぎず、当業者は創造的な努力なしでこれらの図面に基づいてその他の図面も得ることができることは明らかである。
【００１３】
【図１】本考案の構造模式図である。
【図２】図１の側面図である。
【図３】本考案がタブレットコンピュータに適用される場合の使用状態図である。
【図４】本考案がタブレットコンピュータから取り外された後の構造模式図である。
【図５】本考案がノートパソコンに適用される場合の使用状態図である。
【考案を実施するための形態】
【００１４】
以下、図面を参照しながら本考案をさらに詳しく説明する。
【００１５】
本実施例は本考案を説明するものであり、本考案を制限するものではない。本考案の趣旨から逸脱しない限り、当業者が本明細書の内容に基づいて必要に応じて本実施例を修正することができ、それらの修正は、いずれも本考案の保護範囲内に含まれる。
【００１６】
本実施例は、タブレットコンピュータ５及びノートパソコン６に適用される磁気吸着保護フィルムに関する。図１、２に示すように、前記磁気吸着保護フィルムは、フィルム本体１と、磁気吸着層２と、滑り止め層３と、水波紋防止層４とを含む。
【００１７】
本実施例において、磁気吸着層２、フィルム本体１、水波紋防止層４及び滑り止め層３はこの順で上から下へ積層される。磁気吸着層２はスクリーンとの相互吸引により磁気吸着保護フィルムをスクリーンに固定する。磁気吸着層２は磁性材料で作製される。滑り止め層３はスクリーンの縁部に沿って設けられる。滑り止め層３は、スクリーンとの間の摩擦力を増大させることによりスクリーン使用中の磁気吸着保護フィルムの変位を防止する。
【００１８】
さらに、滑り止め層３及び磁気吸着層２はいずれもストリップ状又は枠状である。好ましくは、磁気吸着層２及び滑り止め層３はいずれもストリップ状であるとともに、滑り止め層３は磁気吸着層２に対向して水波紋防止層に設けられる。
【００１９】
他の実施例において、磁気吸着層２は、水波紋防止層４上におけるフィルム本体１から遠い側に設けられるか、又はフィルム本体１内に嵌合して設けられる。磁気吸着層２は、フィルム本体１と水波紋防止層４との間に設けられるか、又は水波紋防止層４と滑り止め層３との間に設けられる。
【００２０】
２つの比較的滑らかな硬質平面の間にはせん断力が発生しにくいため、互いにスライドしやすい。そのため、滑り止め層はショア硬度が約ｄ６５の軟質層である。滑り止め層３における前記フィルム本体１から遠い側は凹凸面である。微視的観点から、凹凸面は吸盤効果を生み出すことができるため、スクリーンに吸着することができる。これによって、この磁気吸着保護フィルムがスクリーンに対して変位することが効果的に防止される。
【００２１】
滑り止め層３は、ＵＶ硬化塗料で作製され、その上の凹凸面は、ＵＶ硬化塗料層をＵＶ照射して半硬化層を形成した後、凹凸ローラで押圧することにより形成される。
【００２２】
自然状態下で、スクリーン表面及びフィルム本体１の表面に水フィルムが存在するとともに、スクリーン表面及びフィルム本体１の表面が比較的に滑らかであるため、互いに貼り付けるときに、貼付け面には水波紋が形成され、スクリーンの使用を影響することがある。そのため、水波紋防止層４上におけるスクリーンに近い側に対して表面粗さ処理を施して凹凸面を形成する。凹凸面により、この磁気吸着保護フィルムとスクリーンを貼り付けるときの水波紋の発生が回避される。
【００２３】
さらに、フィルム本体１は、ペーパーライクフィルム、覗き見防止フィルム、抗菌フィルム、アンチグレアフィルム、自動修復フィルム、スクラッチ防止フィルム、ブルーライトカットフィルム、ＡＲ反射防止フィルムのうちのいずれか１種又は複数種を順に積層した組み合わせを含む。
【００２４】
本実施例において、フィルム本体１はペーパーライクフィルムである。ペーパーライクフィルムは、硬化樹脂を基材層表面に均一にロール塗布し、硬化樹脂が半硬化したときに、表面が凸凹の金型で押圧して凹凸面を形成し、最後にＵＶ光で硬化させることにより作製される。手書きでフィルムに書き込む際、鉛筆で紙に書く感触が得られるため、ユーザの書き心地が効果的に向上する。
【００２５】
また、スクラッチ防止フィルムの製造方法は以下の通りである。
エポキシ樹脂、トリメチロールプロパントリアクリレート、開始剤、レベリング剤、消泡剤及び分散剤を用意する。開始剤としてベンゾインエチルエーテル、分散剤としてステアリン酸亜鉛を使用する。製造時に、まず各成分を均一に混合し、次に基材層に均一に塗布し、最後にＵＶで照射して硬化させる。ここで、基材層はＰＥＴ、ＴＡＣ又はＰＭＭＡ基材層である。
【００２６】
抗菌フィルムの製造方法は以下の通りである。
担体、銅イオン、銀イオン及び硬化塗料を用意する。担体はガラス又はゼオライトである。製造時に、まず担体、銅イオン及び銀イオンを混合して抗菌剤を調製し、次に抗菌剤を硬化塗料に加えて硬化させる。
【００２７】
ブルーライトカットフィルム、抗菌フィルムの製造方法は以下の通りである。
硬化樹脂にブルーライトバリア剤を加え、基材層の表面に均一に塗布することにより、波長４８０ｎｍの光線が人の眼に入ることが阻止され、目の黄斑変性症が効果的に防止される。
【００２８】
なお、ペーパーライクフィルム、覗き見防止フィルム、抗菌フィルム、アンチグレアフィルム、自動修復フィルム、スクラッチ防止フィルム、ブルーライトカットフィルム及びＡＲ反射防止フィルムはいずれも従来技術であり、覗き見防止フィルム、アンチグレアフィルム、自動修復フィルム及びＡＲ反射防止フィルムの製造方法はここでの説明を省略する。
【００２９】
本考案の原理は以下の通りである。
使用時に、磁気吸着保護フィルムをスクリーンの縁部に近づけると、磁気吸着保護フィルムはスクリーンと磁気吸着層２の磁気吸引によりスクリーンに固定され、滑り止め層３の作用下でさらに固定される。これによって、磁気吸着保護フィルムとスクリーンの間の固定性が向上し、スクリーン使用時の磁気吸着保護フィルムの変位が効果的に防止される。
【００３０】
以上の内容は本考案を説明するものであり、制限するものではない。当業者が本考案の技術案に対して加えるその他の修正又は同等な置換は、本考案の趣旨及び範囲から逸脱しない限り、いずれも本考案の実用新案登録請求の範囲に含まれる。
【符号の説明】
【００３１】
１、フィルム本体；２、磁気吸着層；３、滑り止め層；４、水波紋防止層；５、タブレットコンピュータ；６、ノートパソコン。
【図１】
0003233618.tif 000003
【図２】
0003233618.tif 000004
【図３】
0003233618.tif 000005
【図４】
0003233618.tif 000006
【図５】
0003233618.tif 000007